(57)【要約】【課題】小型化することができ、組付性を向上することができる電気接続箱を提供する。【解決手段】内部に電気部品が収容されたボックス本体と、このボックス本体と一体に設けられ一面が開口された端子ハウジング５と、この端子ハウジング５内に配置され電気部品に接続されたバスバ７と、端子ハウジング５に開口から挿入されバスバ７が挿入されて嵌合する端子９とを備えた電気接続箱において、端子９を、バスバ７が完全に挿入されることによりバスバ７との嵌合状態を保持し、端子ハウジング５と端子９との間に、バスバ７と端子９との嵌合状態を検知する検知手段１１を設けた。【選択図】図４
2017041927.tif 000002
【特許請求の範囲】
【請求項１】
内部に電気部品が収容されたボックス本体と、このボックス本体と一体に設けられ一面が開口された端子ハウジングと、この端子ハウジング内に配置され前記電気部品に接続されたバスバと、前記端子ハウジングに開口から挿入され前記バスバが挿入されて嵌合する端子とを備えた電気接続箱であって、
前記端子は、前記バスバが完全に挿入されることにより前記バスバとの嵌合状態が保持され、
前記端子ハウジングと前記端子との間には、前記バスバと前記端子との嵌合状態を検知する検知手段が設けられていることを特徴とする電気接続箱。
【請求項２】
請求項１記載の電気接続箱であって、
前記検知手段は、前記端子ハウジングと前記端子とのうち一方に撓み可能に設けられ、前記バスバと前記端子とが嵌合した状態で他方に係合される係止ランスを有することを特徴とする電気接続箱。
【発明の詳細な説明】
【技術分野】
【０００１】
本発明は、電気接続箱に関する。
【背景技術】
【０００２】
従来、電気接続箱としては、内部に電気部品が収容されたボックス本体としての蓋体及びケースと、この蓋体と一体に設けられ一面が開口された端子ハウジングとしてのコネクタハウジングと、このコネクタハウジング内に配置され電気部品に接続されたバスバとしての端子と、コネクタハウジングに開口から挿入され端子が挿入されて嵌合する相手端子とを備えたものが知られている（例えば、特許文献１参照）。
【０００３】
この電気接続箱では、端子と嵌合する相手端子が、コネクタ内に収容されており、コネクタがコネクタハウジングと嵌合することにより、コネクタハウジング内に配置された端子とコネクタ内に収容された相手端子とが嵌合し、端子と相手端子とが電気的に接続される。
【先行技術文献】
【特許文献】
【０００４】
【特許文献１】特開２００１−２１０４３３号公報
【発明の概要】
【発明が解決しようとする課題】
【０００５】
しかしながら、上記特許文献１のような電気接続箱では、コネクタハウジングとしての端子ハウジング内にコネクタを挿入させる必要があるので、端子ハウジングが一体に設けられたボックス本体にコネクタを受けるだけの面積が必要であり、小型化に限界があった。
【０００６】
加えて、上記特許文献１のような電気接続箱では、相手端子としての端子をコネクタに収容させる工程が必要であり、組付性が低下していた。
【０００７】
そこで、この発明は、小型化することができ、組付性を向上することができる電気接続箱の提供を目的としている。
【課題を解決するための手段】
【０００８】
請求項１記載の発明は、内部に電気部品が収容されたボックス本体と、このボックス本体と一体に設けられ一面が開口された端子ハウジングと、この端子ハウジング内に配置され前記電気部品に接続されたバスバと、前記端子ハウジングに開口から挿入され前記バスバが挿入されて嵌合する端子とを備えた電気接続箱であって、前記端子は、前記バスバが完全に挿入されることにより前記バスバとの嵌合状態が保持され、前記端子ハウジングと前記端子との間には、前記バスバと前記端子との嵌合状態を検知する検知手段が設けられていることを特徴とする。
【０００９】
この電気接続箱では、端子が、バスバが完全に挿入されることによりバスバとの嵌合状態が保持されるので、端子をコネクタに収容してコネクタと端子ハウジングとを嵌合させる必要がなく、端子ハウジングを小型化することができ、ボックス本体にコネクタを受けるだけの面積を設ける必要がなく、ボックス本体も小型化することができる。
【００１０】
加えて、端子をコネクタ内に収容させる工程を削減することができ、組付性を向上することができる。
【００１１】
また、端子ハウジングと端子との間には、バスバと端子との嵌合状態を検知する検知手段が設けられているので、バスバと端子との半嵌合状態を防止することができ、バスバと端子との完全な嵌合状態を得ることができる。
【００１２】
従って、このような電気接続箱では、端子ハウジングとボックス本体とを小型化することができ、端子をコネクタ内に収容させる工程を削減することができるので、小型化することができ、組付性を向上することができる。
【００１３】
請求項２記載の発明は、請求項１記載の電気接続箱であって、前記検知手段は、前記端子ハウジングと前記端子とのうち一方に撓み可能に設けられ、前記バスバと前記端子とが嵌合した状態で他方に係合される係止ランスを有することを特徴とする。
【００１４】
この電気接続箱では、検知手段が、端子ハウジングと端子とのうち一方に撓み可能に設けられ、バスバと端子とが嵌合した状態で他方に係合される係止ランスを有するので、バスバと端子との嵌合状態を係止ランスの係合状態によって検知することができ、簡易な構造でバスバと端子との嵌合状態を検知することができる。
【発明の効果】
【００１５】
本発明によれば、小型化することができ、組付性を向上することができる電気接続箱を提供することができるという効果を奏する。
【図面の簡単な説明】
【００１６】
【図１】本発明の実施の形態に係る電気接続箱の側面図である。
【図２】本発明の実施の形態に係る電気接続箱の端子ハウジングの正面図である。
【図３】本発明の実施の形態に係る電気接続箱の端子ハウジングの断面図である。
【図４】本発明の実施の形態に係る電気接続箱の端子ハウジングに端子を挿入したときの断面図である。
【発明を実施するための形態】
【００１７】
図１〜図４を用いて本発明の実施の形態に係る電気接続箱について説明する。
【００１８】
本実施の形態に係る電気接続箱１は、内部に電気部品が収容されたボックス本体３と、このボックス本体３と一体に設けられ一面が開口された端子ハウジング５と、この端子ハウジング５内に配置され電気部品に接続されたバスバ７と、端子ハウジング５に開口から挿入されバスバ７が挿入されて嵌合する端子９とを備えている。
【００１９】
そして、端子９は、バスバ７が完全に挿入されることによりバスバ７との嵌合状態が保持され、端子ハウジング５と端子９との間には、バスバ７と端子９との嵌合状態を検知する検知手段１１が設けられている。
【００２０】
また、検知手段１１は、端子ハウジング５に撓み可能に設けられ、バスバ７と端子９とが嵌合した状態で端子９に係合される係止ランス１３を有する。
【００２１】
図１〜図４に示すように、ボックス本体３は、合成樹脂などの絶縁性材料からなり、直方体の筐体状に形成され、例えば、バッテリや電池などの電源と機器との間に配置される。
【００２２】
このボックス本体３の内部には、電源や機器などの作動を制御する複数の電子部品や回路が形成された回路基板などの電気部品（不図示）が収容されている。
【００２３】
このようなボックス本体３の一面（ここでは上面）には、複数（ここでは２つ）の端子ハウジング５がボックス本体３と連続する一部材で形成されている。
【００２４】
端子ハウジング５は、ボックス本体３の一面からボックス本体３の外方に向けて筐体状に突設され、筐体を構成する一面である上面が開口されている。
【００２５】
この端子ハウジング５内には、ボックス本体３内に収容された電気部品に電気的に接続されたバスバ７が配置されている。
【００２６】
バスバ７は、導電性材料からなり、一端側が電気部品に電気的に接続され、ボックス本体３の内部から端子ハウジング５に向けて配設され、他端側が端子ハウジング５の開口に向けて延設されるように配置されている。
【００２７】
このバスバ７は、端子ハウジング５の上面に開口された開口から端子９が挿入されることにより、端子９と嵌合して端子９と電気的に接続される。
【００２８】
端子９は、バスバ７を内部に挿入可能な箱状の接続部を有する雌型端子からなり、機器などに接続された電線（不図示）の端末部に圧着などによって電気的に接続されている。
【００２９】
この端子９は、端子ハウジング５の開口に挿入されることにより、バスバ７が内部に挿入されて嵌合し、バスバ７と電気的に接続され、電気接続箱１と機器などとを電気的に接続させる。
【００３０】
この端子９とバスバ７との嵌合状態は、端子９の内部にバスバ７が完全に挿入されることによって得られる保持力によって保持される。
【００３１】
このため、バスバ７と端子９とが完全に嵌合していない状態では、バスバ７に対する端子９の保持力が足りず、端子９が端子ハウジング５から抜けてしまう恐れがある。
【００３２】
そこで、端子ハウジング５と端子９との間には、バスバ７と端子９との嵌合状態を検知する検知手段１１が設けられている。
【００３３】
検知手段１１は、端子ハウジング５内に撓み可能に設けられた係止ランス１３と、端子９の一側面に設けられた被係合部１５とを備えている。
【００３４】
係止ランス１３は、端子ハウジング５内に端子９の挿入方向と交差する方向に撓み可能に設けられ、自由端側に端子９の被係合部１５に係合される係合突起１７が設けられている。
【００３５】
被係合部１５は、端子９の係止ランス１３と対向する一側面に設けられ、係止ランス１３の係合突起１７と係合可能な開口となっている。
【００３６】
この検知手段１１は、端子ハウジング５内に端子９が挿入されることにより、係合突起１７が端子９と当接して係止ランス１３が撓み、端子９の被係合部１５に係合突起１７が位置することによる係止ランス１３の復元力によって、係合突起１７が被係合部１５に係合される。
【００３７】
この係止ランス１３と被係合部１５との係合により、バスバ７と端子９との完全な嵌合状態を検知することができると共に、端子ハウジング５からの端子９の抜け止めを行うことができる。
【００３８】
一方、係止ランス１３と被係合部１５とが係合していない場合、バスバ７と端子９とが半嵌合状態であることを検知することができると共に、端子ハウジング５から端子９を容易に抜き出すことができ、このことからもバスバ７と端子９との半嵌合状態を検知することができる。
【００３９】
このような電気接続箱１では、端子９が、バスバ７が完全に挿入されることによりバスバ７との嵌合状態が保持されるので、端子９をコネクタに収容してコネクタと端子ハウジング５とを嵌合させる必要がなく、端子ハウジング５を小型化することができ、ボックス本体３にコネクタを受けるだけの面積を設ける必要がなく、ボックス本体３も小型化することができる。
【００４０】
加えて、端子９をコネクタ内に収容させる工程を削減することができ、組付性を向上することができる。
【００４１】
また、端子ハウジング５と端子９との間には、バスバ７と端子９との嵌合状態を検知する検知手段１１が設けられているので、バスバ７と端子９との半嵌合状態を防止することができ、バスバ７と端子９との完全な嵌合状態を得ることができる。
【００４２】
従って、このような電気接続箱１では、端子ハウジング５とボックス本体３とを小型化することができ、端子９をコネクタ内に収容させる工程を削減することができるので、小型化することができ、組付性を向上することができる。
【００４３】
また、検知手段１１は、端子ハウジング５に撓み可能に設けられ、バスバ７と端子９とが嵌合した状態で端子９に係合される係止ランス１３を有するので、バスバ７と端子９との嵌合状態を係止ランス１３の係合状態によって検知することができ、簡易な構造でバスバ７と端子９との嵌合状態を検知することができる。
【００４４】
なお、本発明の実施の形態に係る電気接続箱では、係止ランスが端子ハウジングに設けられているが、これに限らず、端子に係止ランスを設け、この係止ランスと係合する被係合部を端子ハウジングに設けてもよい。
【００４５】
また、検知手段は、撓み可能に設けられた係止ランスを有しているが、これに限らず、バスバと端子との嵌合状態は互いの嵌合力によって保持されているので、例えば、バスバと端子との嵌合状態を検知するセンサなど、必ずしも、互いに係合して端子ハウジングから端子の抜け止めを行うような構造でなくともよい。
【符号の説明】
【００４６】
１…電気接続箱
３…ボックス本体
５…端子ハウジング
７…バスバ
９…端子
１１…検知手段
１３…係止ランス
【図１】
2017041927.tif 000003
【図２】
2017041927.tif 000004
【図３】
2017041927.tif 000005
【図４】
2017041927.tif 000006